(57)【要約】【課題】衛生上の問題を生じさせることなく、注射器などを用いて複数回の採血、点滴、薬液の注入、または測定などを行うことのできる混注管を提供する。【解決手段】主流路を形成する管本体１１の管壁に主流路から分岐する分岐流路を形成する分岐管部１２が設けられた混注管１であって、分岐管部１２は、分岐流路を開閉する弁本体３１を有した弁機構ＢＫと、ロック式の注射器などを取り付けて分岐流路に接続するための取付け部ＴＢと、を有し、取付け部ＴＢは、流通位置Ｐ１と待機位置Ｐ２との間で弁本体３１に対して移動可能であり、弁機構ＢＫは、取付け部ＴＢに注射器などを取り付けた状態において、取付け部ＴＢを流通位置Ｐ１としたときに開き、取付け部ＴＢを待機位置Ｐ２としたときに閉じるように構成される。【選択図】      図１
2007117210.tif 000002
【特許請求の範囲】
【請求項１】
主流路を形成する管本体の管壁に前記主流路から分岐する分岐流路を形成する分岐管部が設けられた混注管であって、
前記分岐管部は、
前記分岐流路を開閉する弁本体を有した弁機構と、
ロック式の注射器などを取り付けて前記分岐流路に接続するための取付け部と、を有し、
前記取付け部は、流通位置と待機位置との間で前記弁本体に対して移動可能であり、
前記弁機構は、
前記取付け部に前記注射器などを取り付けた状態において、前記取付け部を前記流通位置としたときに開き、前記取付け部を前記待機位置としたときに閉じるように構成されてなる、
ことを特徴とする混注管。
【請求項２】
前記弁本体は、ゴム材料からなり、その中央部に表裏に貫通し且つ弾性力によって密着して閉じられるスリット状部が設けられ、
前記弁機構は、前記取付け部の移動とともに移動して前記弁本体の前記スリット状部に挿通可能であり且つ前記分岐流路の一部である内部流路が形成される移動弁体を有し、
前記移動弁体は、前記流通位置において前記スリット状部を貫通して前記内部流路が前記主流路に露出し、前記待機位置において前記内部流路が前記スリット状部内において閉じられる、
請求項１記載の混注管。
【請求項３】
前記移動弁体は、
筒状の外側弁部材と、
前記外側弁部材の内側に同心状に配置されて前記外側弁部材に対して軸方向に相対移動可能な内側弁部材と、
を有する請求項２記載の混注管。
【請求項４】
前記外側弁部材は、円錐面状に形成された内周面を有し、
前記内側弁部材は、前記外側弁部材の内周面と密着可能な外周面を有し、
前記内側弁部材と前記外側弁部材とが軸方向に相対移動することによって、それらの間に前記内部流路が形成される、
請求項３記載の混注管。
【請求項５】
前記内側弁部材は、前記外側弁部材に対して軸方向の外方に突出して設けられており、
注射器などを前記取付け部に取り付けたときに、その注射器などの口部の先端が前記内側弁部材の突出端に当接して押し、前記内側弁部材と前記外側弁部材とが軸方向に相対移動して前記内部流路が形成される、
請求項４記載の混注管。
【請求項６】
前記外側弁部材の外方の端部には、注射器などの口部の先端が嵌まり込む凹部が設けられており、
前記凹部は、外方に拡がる円錐面状に形成された内周面を有し、
注射器などの口部の先端の外周縁が前記凹部の内周面に当接することによってシールが行われる、
請求項３ないし５のいずれかに記載の混注管。
【請求項７】
前記内側弁部材の外方の端部には、その中央に注射器などの口部の内径よりも小さい外径を有する断面円形の突起が設けられ、且つ当該内側弁部材の外周面に接続する凹溝が形成されている、
請求項３ないし６のいずれかに記載の混注管。
【請求項８】
前記弁本体は、前記管本体に設けられた略円筒状の分岐管基部の中に配置され、
前記分岐管基部の外周面に、当該外周面に外嵌して軸方向に摺動可能なキャップ部材が設けられており、
前記キャップ部材は、前記外側弁部材の外周面を囲んで支持する内周面を有したスリーブ部を有し、
前記スリーブ部の外周面には、前記注射器などのロック用カラーの雌ネジに係合する係合部片が設けられている、
請求項３ないし７のいずれかに記載の混注管。
【請求項９】
前記外側弁部材の外方の端部は、前記スリーブ部に対して軸方向の外方に突出して設けられており、
注射器などの前記雌ネジを前記係合部片に係合させたときに、その注射器などの口部の先端が前記外側弁部材の前記端部および前記内側弁部材の突出端に当接して押し、それらを前記スリーブ部の内方に押し込む、
請求項８記載の混注管。
【請求項１０】
前記スリーブ部の内周面は、円錐面状に形成され、
前記外側弁部材の外周面は、前記スリーブ部の内周面と密着可能な円錐面状に形成されており、
前記内側弁部材および前記外側弁部材は、前記弁本体の弾性力によって軸方向の外方に向かうように付勢されており、これによって、注射器などを前記取付け部に取り付けない状態において、前記外側弁部材の外周面が前記スリーブ部の内周面と密着してシールされ、前記内側弁部材の外周面が前記外側弁部材の内周面と密着してシールされる、
請求項９記載の混注管。
【請求項１１】
前記キャップ部材の内周面の前記分岐管基部の外周面に外嵌する位置には、その内周面から半径方向の内方へ突出する係止突起が設けられ、
前記分岐管基部の外周面には、前記係止突起と当接することによって前記キャップ部材を前記流通位置および前記待機位置において保持するための保持突起が設けられている、
請求項８ないし１０のいずれかに記載の混注管。
【請求項１２】
前記分岐管基部の外周面には、前記係止突起と当接して前記キャップ部材の周方向の回転角度を規制するためのストッパが設けられている、
請求項１１記載の混注管。
【請求項１３】
主流路を形成する管本体の管壁に前記主流路から分岐する分岐流路を形成する分岐管部が設けられた混注管であって、
前記分岐管部は、
前記分岐流路を開閉する弁機構と、
ロック式の注射器などを取り付けて前記分岐流路に接続するためのものであって流通位置と待機位置との間で移動可能な取付け部と、を有し、
前記弁機構は、                                                                  ゴム材料からなってその中央部に表裏に貫通し且つ弾性力によって密着して閉じられるスリット状部が設けられた弁本体と、
筒状の外側弁部材と前記外側弁部材の内側に同心状に配置されて前記外側弁部材に対して軸方向に相対移動可能な内側弁部材とを有し、前記取付け部の移動とともに移動して前記弁本体の前記スリット状部に挿通可能であり且つ前記分岐流路の一部である内部流路が形成される移動弁体と、
前記移動弁体は、前記流通位置において前記スリット状部を貫通して前記内部流路が前記主流路に露出して前記分岐流路を開き、前記待機位置において前記内部流路が前記スリット状部内において閉じられて前記分岐流路を閉じる、
ことを特徴とする混注管。
【請求項１４】
流体容器または管路の開口部に装着されて前記流体容器または管路に接続する分岐流路を外部に引き出すための弁装置であって、
前記分岐流路を開閉する弁本体を有した弁機構と、
ロック式の注射器などを取り付けて前記分岐流路に接続するための取付け部と、を有し、
前記取付け部は、流通位置と待機位置との間で前記弁本体に対して移動可能であり、
前記弁機構は、
前記取付け部に前記注射器などを取り付けた状態において、前記取付け部を前記流通位置としたときに開き、前記取付け部を前記待機位置としたときに閉じるように構成されてなる、
ことを特徴とする弁装置。
【請求項１５】
前記弁本体は、ゴム材料からなり、その中央部に表裏に貫通し且つ弾性力によって密着して閉じられるスリット状部が設けられ、
前記弁機構は、前記取付け部の移動とともに移動して前記弁本体の前記スリット状部に挿通可能であり且つ前記分岐流路の一部である内部流路が形成される移動弁体を有し、
前記移動弁体は、前記流通位置において前記スリット状部を貫通して前記内部流路が前記主流路に露出し、前記待機位置において前記内部流路が前記スリット状部内において閉じられる、
請求項１４記載の弁装置。
【発明の詳細な説明】
【技術分野】
【０００１】
本発明は、点滴および人工透析などにおいて、ロック式の注射器などを注射針を装着しない状態で取り付けて、血液の抽出、薬液の注入、または各種測定などを行うために用いられる混注管および弁装置に関する。
【背景技術】
【０００２】
従来より、人工透析での血液の抽出などのために、体外に形成した血液管路の途中に分岐路を設けるための混注管が用いられている。
【０００３】
従来において、分岐部分にゴムのシール体が設けられた混注管が用いられてきた。これは、注射器に装着した注射針をシール体に突き刺して貫通させ、注射針を介して主流路から血液を分岐させて抽出するものである。しかし、注射針を使用した場合には、注射針自体のコストや使用済みの注射針の廃棄のためのコストなど、コスト的な負担が大きいという問題などがある。
【０００４】
この問題に対処するために、注射針を装着しない状態で注射器を用いて採血することのできる混注管が種々開発された（特許文献１および２）。これらは、ゴムのシール体の中央部に表裏に貫通するスリット状部を設けておき、注射針を装着していない注射器の口部をそのスリット状部に差し込んで使用する。
【０００５】
しかし、そのような従来の混注管を用いた場合に、注射器はスリット状部で挟まれているだけであるから、注射器がゴムのシール体から抜けて脱落し易いという問題があった。
【０００６】
これに対処するために、ロック式の注射器を使用して脱落しないように改良された混注管が提案された（特許文献３および４）。これらは、混注管のキャップの上面に筒状のスリーブを設けておき、このスリーブの先端に設けた螺合片に注射器のロック用カラーの雌ネジを螺合させる構造となっている。
【特許文献１】特開２０００−３５４６３６
【特許文献２】特開２００１−６１９７１
【特許文献３】特開２００３−３２５６７８
【特許文献４】特開２００４−２０９２７８
【発明の開示】
【発明が解決しようとする課題】
【０００７】
上に述べたロック式の注射器に適用できる従来の混注管では、注射器が混注管に確実に装着されるので、注射器が混注管から脱落することはないが、混注管を１回の採血にしか使用できないという問題がある。
【０００８】
すなわち、採血を、例えば透析の進行に応じて適当な時間間隔で複数回行うことがある。一方、注射器を混注管に取り付けて採血を行った後で、注射器を混注管から取り外すと、ゴムのシール体の表面または他の部材の表面に血液が付着した状態となる。このように付着した血液は衛生上の点からも好ましくなく、直ぐに拭き取っておく必要があるが、従来のロック式の注射器に適用できる従来の混注管では、血液の付着する部分がスリーブにより囲まれてその奥深い場所にあるので、血液を拭き取って清掃することが非常に困難である。
【０００９】
そのため、従来において、採血を行う回数と同じ個数の混注管を予め管路中に設けておき、１回の採血に１個ずつ使用するということが行われている。そのため、混注管の使用個数が増大し、混注管自体のコストや使用済みの混注管の廃棄のためのコストなど、やはりコスト的な負担が大きいという問題がある。
【００１０】
本発明は、上述の問題に鑑みてなされたもので、衛生上の問題を生じさせることなく、注射器などを用いて複数回の採血、点滴、薬液の注入、または測定などを行うことのできる混注管および弁装置を提供することを目的とする。
【課題を解決するための手段】
【００１１】
本発明に係る混注管は、主流路を形成する管本体の管壁に前記主流路から分岐する分岐流路を形成する分岐管部が設けられた混注管であって、前記分岐管部は、前記分岐流路を開閉する弁本体を有した弁機構と、ロック式の注射器などを取り付けて前記分岐流路に接続するための取付け部と、を有し、前記取付け部は、流通位置と待機位置との間で前記弁本体に対して移動可能であり、前記弁機構は、前記取付け部に前記注射器などを取り付けた状態において、前記取付け部を前記流通位置としたときに開き、前記取付け部を前記待機位置としたときに閉じるように構成される。
【００１２】
好ましくは、前記弁本体は、ゴム材料からなり、その中央部に表裏に貫通し且つ弾性力によって密着して閉じられるスリット状部が設けられ、前記弁機構は、前記取付け部の移動とともに移動して前記弁本体の前記スリット状部に挿通可能であり且つ前記分岐流路の一部である内部流路が形成される移動弁体を有し、前記移動弁体は、前記流通位置において前記スリット状部を貫通して前記内部流路が前記主流路に露出し、前記待機位置において前記内部流路が前記スリット状部内において閉じられる。
【００１３】
また、前記移動弁体は、筒状の外側弁部材と、前記外側弁部材の内側に同心状に配置されて前記外側弁部材に対して軸方向に相対移動可能な内側弁部材と、を有する。
【００１４】
また、前記外側弁部材は、円錐面状に形成された内周面を有し、前記内側弁部材は、前記外側弁部材の内周面と密着可能な外周面を有し、前記内側弁部材と前記外側弁部材とが軸方向に相対移動することによって、それらの間に前記内部流路が形成される。
【００１５】
また、前記内側弁部材は、前記外側弁部材に対して軸方向の外方に突出して設けられており、注射器などを前記取付け部に取り付けたときに、その注射器などの口部の先端が前記内側弁部材の突出端に当接して押し、前記内側弁部材と前記外側弁部材とが軸方向に相対移動して前記内部流路が形成される。
【００１６】
また、前記外側弁部材の外方の端部には、注射器などの口部の先端が嵌まり込む凹部が設けられており、前記凹部は、外方に拡がる円錐面状に形成された内周面を有し、注射器などの口部の先端の外周縁が前記凹部の内周面に当接することによってシールが行われる。
【００１７】
また、前記内側弁部材の外方の端部には、その中央に注射器などの口部の内径よりも小さい外径を有する断面円形の突起が設けられ、且つ当該内側弁部材の外周面に接続する凹溝が形成される。
【００１８】
また、前記弁本体は、前記管本体に設けられた略円筒状の分岐管基部の中に配置され、前記分岐管基部の外周面に、当該外周面に外嵌して軸方向に摺動可能なキャップ部材が設けられており、前記キャップ部材は、前記外側弁部材の外周面を囲んで支持する内周面を有したスリーブ部を有し、前記スリーブ部の外周面には、前記注射器などのロック用カラーの雌ネジに係合する係合部片が設けられる。
【００１９】
また、前記外側弁部材の外方の端部は、前記スリーブ部に対して軸方向の外方に突出して設けられており、注射器などの前記雌ネジを前記係合部片に係合させたときに、その注射器などの口部の先端が前記外側弁部材の前記端部および前記内側弁部材の突出端に当接して押し、それらを前記スリーブ部の内方に押し込む。
【００２０】
また、前記スリーブ部の内周面は、円錐面状に形成され、前記外側弁部材の外周面は、前記スリーブ部の内周面と密着可能な円錐面状に形成されており、前記内側弁部材および前記外側弁部材は、前記弁本体の弾性力によって軸方向の外方に向かうように付勢されており、これによって、注射器などを前記取付け部に取り付けない状態において、前記外側弁部材の外周面が前記スリーブ部の内周面と密着してシールされ、前記内側弁部材の外周面が前記外側弁部材の内周面と密着してシールされる。
【００２１】
また、前記キャップ部材の内周面の前記分岐管基部の外周面に外嵌する位置には、その内周面から半径方向の内方へ突出する係止突起が設けられ、前記分岐管基部の外周面には、前記係止突起と当接することによって前記キャップ部材を前記流通位置および前記待機位置において保持するための保持突起が設けられる。
【００２２】
また、前記分岐管基部の外周面には、前記係止突起と当接して前記キャップ部材の周方向の回転角度を規制するためのストッパが設けられる。
【００２３】
本発明に係る弁装置は、流体容器または管路の開口部に装着されて前記流体容器または管路に接続する分岐流路を外部に引き出すための弁装置であって、前記分岐流路を開閉する弁本体を有した弁機構と、ロック式の注射器などを取り付けて前記分岐流路に接続するための取付け部と、を有し、前記取付け部は、流通位置と待機位置との間で前記弁本体に対して移動可能であり、前記弁機構は、前記取付け部に前記注射器などを取り付けた状態において、前記取付け部を前記流通位置としたときに開き、前記取付け部を前記待機位置としたときに閉じるように構成される。
【００２４】
好ましくは、前記弁本体は、ゴム材料からなり、その中央部に表裏に貫通し且つ弾性力によって密着して閉じられるスリット状部が設けられ、前記弁機構は、前記取付け部の移動とともに移動して前記弁本体の前記スリット状部に挿通可能であり且つ前記分岐流路の一部である内部流路が形成される移動弁体を有し、前記移動弁体は、前記流通位置において前記スリット状部を貫通して前記内部流路が前記主流路に露出し、前記待機位置において前記内部流路が前記スリット状部内において閉じられる。
【発明の効果】
【００２５】
本発明によると、衛生上の問題を生じさせることなく、注射器などを用いて複数回の採血、点滴、薬液の注入、または測定などを行うことができる。
【発明を実施するための最良の形態】
【００２６】
図１は本発明に係る実施形態の混注管１の断面正面図、図２は混注管１の待機位置Ｐ２の状態を示す断面正面図、図３は混注管１の流通位置Ｐ１の状態を示す断面正面図、図４は図２の一部を拡大して示す断面図、図５は移動弁体４０を上から見て示す平面図、図６はキャップ部材５０の上方から見て示す一部断面平面図、図７はキャップ部材５０の断面正面図、図８はキャップ部材５０の待機位置と流通位置との状態を示す拡大断面図、図９はキャップ部材５０の待機位置と流通位置との切り換え状態を示す側面図、図１０は弁本体３１の形状を示す図、図１１は弁本体３１の他の例を示す断面図、図１２は弁本体３１の他の例を示す断面図である。
【００２７】
図１〜図４において、混注管１は、主流路ＳＲを形成する管本体１１、および管本体１１の胴部２１の管壁に設けられて主流路ＳＲから分岐する分岐流路ＢＲを形成する分岐管部１２からなる。
【００２８】
管本体１１は、ポリプロピレンなどの合成樹脂材料により略円筒状に形成されている。管本体１１は、中央の胴部２１と、胴部２１の両端部に設けられてチューブなどの配管部材ＨＢを接続するためのポート２２，２３とを有する。
【００２９】
分岐管部１２は、分岐流路ＢＲを開閉する弁本体３１を有した弁機構ＢＫ、ロック式の注射器ＴＫを取り付けて分岐流路ＢＲに接続するための取付け部ＴＢを有する。
【００３０】
取付け部ＴＢは、流通位置Ｐ１と待機位置Ｐ２との間で弁本体３１に対して移動可能である。
【００３１】
弁機構ＢＫは、取付け部ＴＢに注射器ＴＫを取り付けた状態において、取付け部ＴＢを流通位置Ｐ１としたときに開き、取付け部ＴＢを待機位置Ｐ２としたときに閉じるように構成されている。
【００３２】
弁本体３１は、シリコンゴム、イソプレンゴム、ブチルゴムなどのゴム材料からなり、その中央部に、表裏に貫通し且つ弾性力によって密着して閉じられるスリット状部３２が設けられている。
【００３３】
弁機構ＢＫは、取付け部ＴＢの移動とともに移動して弁本体３１のスリット状部３２に挿通可能であり、且つ、分岐流路ＢＲの一部である内部流路ＢＮが形成される移動弁体４０を有する。移動弁体４０は、流通位置Ｐ１においてスリット状部３２を貫通して内部流路ＢＮが主流路ＳＲに露出し、待機位置Ｐ２において内部流路ＢＮがスリット状部３２内において閉じられる、
移動弁体４０は、筒状の外側弁部材４１、および、外側弁部材４１の内側に同心状に配置されて外側弁部材４１に対して軸方向に相対移動可能な内側弁部材４２からなる。
【００３４】
外側弁部材４１は、円錐面状に形成された内周面４１１を有する。内側弁部材４２は、外側弁部材４１の内周面４１１と密着可能な外周面４２１を有する。内側弁部材４２と外側弁部材４１とが軸方向に相対移動することによって、それらの間に隙間ができ、これによって上に述べた内部流路ＢＮが実際に形成される。
【００３５】
内側弁部材４２は、外側弁部材４１に対して軸方向の外方に突出して設けられており、図２〜図４に示すように注射器ＴＫを取付け部ＴＢに取り付けたときに、その注射器ＴＫの口部ＴＫＫの先端が内側弁部材４２の突出端に当接して図の下方へ押し、これによって内側弁部材４２と外側弁部材４１とが軸方向に相対移動して内部流路ＢＮが形成されるようになっている。
【００３６】
外側弁部材４１の外方の端部には、注射器ＴＫの口部ＴＫＫの先端が嵌まり込む凹部４１２が設けられている。凹部４１２は、外方に拡がる円錐面状に形成された内周面４１３を有し、注射器ＴＫの口部ＴＫＫの先端の外周縁が凹部４１２の内周面４１３に当接することによってこの部分のシールが行われる。
【００３７】
内側弁部材４２の外方の端部には、その中央に注射器ＴＫの口部ＴＫＫの内径よりも小さい外径を有する断面円形で半球状の突起４２２が設けられ、且つ、突起４２２をも含めた位置に当該内側弁部材４２の外周面４２１に連通する凹溝４２３が形成されている。
【００３８】
弁本体３１は、管本体１１に一体に設けられた略円筒状の分岐管基部３３の中に配置されている。分岐管基部３３には、その外周面に外嵌して軸方向および回転方向に摺動可能なキャップ部材５０が設けられている。
【００３９】
キャップ部材５０は、キャップ本体５１およびスリーブ部５２を有しており、２段の有底円筒状である。キャップ本体５１は、分岐管基部３３の外周面に外嵌して軸方向に摺動可能である。スリーブ部５２は、その内周面５２１が外側弁部材４１の外周面４１４を囲んでおり、外側弁部材４１の径方向の位置決めを行って軸心位置が安定するように支持する。スリーブ部５２の外周面には、注射器ＴＫのロック用カラーＴＫＣの雌ネジＴＫＭに螺合して係合する係合部片５２２が設けられている。係合部片５２２は、図６によく示されるように、スリーブ部５２の外周面の互いに１８０度の角度位置に２つ設けられている。
【００４０】
なお、この係合部片５２２が設けられたスリーブ部５２またはキャップ部材５０の全体が、本発明における取付け部ＴＢに相当する。
【００４１】
外側弁部材４１の外方の端部は、スリーブ部５２に対して軸方向の外方に突出して設けられており、注射器ＴＫの雌ネジＴＫＭを係合部片５２２に係合させたときに、その注射器ＴＫの口部ＴＫＫの先端が外側弁部材４１の端部および内側弁部材４２の突出端に当接して押し、図２〜図４に示すようにそれらをスリーブ部５２の内方に押し込む。
【００４２】
スリーブ部５２の内周面５２１は、円錐面状に形成され、外側弁部材４１の外周面４１４は、スリーブ部５２の内周面５２１と密着可能な円錐面状に形成されている。
【００４３】
内側弁部材４２および外側弁部材４１は、弁本体３１の弾性力によって軸方向の外方に向かうように付勢されており、これによって、注射器ＴＫを取り付けない状態において、外側弁部材４１の外周面４１４がスリーブ部５２の内周面５２１と密着し、内側弁部材４２の外周面４２１が外側弁部材４１の内周面４１１と密着してシールされる。
【００４４】
キャップ部材５０の内周面の分岐管基部３３の外周面に外嵌する位置、つまりキャップ本体５１の内周面には、その内周面から半径方向の内方へ突出する係止突起５１１が設けられている。分岐管基部３３の外周面には、係止突起５１１と軸方向に当接することによってキャップ部材５０を流通位置Ｐ１および待機位置Ｐ２において保持するための保持突起３３１，３３２が設けられている。また、分岐管基部３３の外周面には、係止突起５１１と当接してキャップ部材５０の周方向の回転角度を規制するためのストッパ３３３が設けられている。
【００４５】
以下、さらに詳しく説明する。
【００４６】
図１において、弁本体３１は、分岐管基部３３の内側に圧縮された状態で収納されている。弁本体３１の上部には、弁本体３１が抜け出るのを防止するための保持部材３４が設けられている。保持部材３４は、円環状であり、分岐管基部３３の上端部の内周面に設けられた突起部３３４を弾性的変形により乗り越えて嵌め込まれている。
【００４７】
なお、保持部材３４を省略することも可能である。保持部材３４を省略した場合には、である。突起部３３４を設けることなく、分岐管基部３３の内周面をストレートな円周面に形成してもよい。
【００４８】
図１０によく示されるように、弁本体３１は、円柱状の胴部３１１の上部に円板状の突出部３１２が設けられ、下部に円錐台状の突出部３１３が設けられている。スリット状部３２は、弁本体３１の上部の表面から下部の表面（裏面）までにわたって貫通して設けられている。スリット状部３２の幅寸法は、突出部３１２の外径よりも少し小さい程度である。
【００４９】
図１に戻って、弁本体３１は圧縮された状態で収納されているので、弁本体３１の内部に圧縮応力が発生し、これによる弾性力でスリット状部３２が密着して閉じられている。スリット状部３２に移動弁体４０が挿入されたときには、移動弁体４０によってスリット状部３２が押し広げられるが、スリット状部３２の表面は移動弁体４０の外周面に弾性的に密着し、それらの間はシールされる。
【００５０】
したがって、図２に示すように移動弁体４０が待機位置Ｐ２にあるときに、内側弁部材４２はスリット状部３２を貫通することがあるが、外側弁部材４１はスリット状部３２の中にあり、そのため内部流路ＢＮを形成する隙間の下方の開口部および内側弁部材４２の外周面４２１の開口部よりも下方の部分はスリット状部３２の表面によって塞がれ、内部流路ＢＮはスリット状部３２内において閉じられた状態である。
【００５１】
また、図３に示すように移動弁体４０が流通位置Ｐ１にあるときに、内側弁部材４２および外側弁部材４１のいずれもスリット状部３２を貫通し、そのため内部流路ＢＮは主流路ＳＲに露出する。この状態で、内部流路ＢＮを含んで形成される分岐流路ＢＲは主流路ＳＲと連通し、これによって、主流路ＳＲに流れる流体は分岐流路ＢＲにも流入する。分岐流路ＢＲに流入した流体は、凹溝４２３を通って口部ＴＫＫの内部へと流入することが可能である。
【００５２】
なお、外側弁部材４１などがスリット状部３２を貫通した状態において、必ずしも外側弁部材４１が弁本体３１よりも突出する必要はない。弁本体３１はゴム材料からなり、大きな可撓性を有するので、弁本体３１や内側弁部材４２の形状や保持状態によっては貫通して内部流路ＢＮが露出した際にも弁本体３１が外側弁部材４１の前方に存在することもあり得る。
【００５３】
図４および図５によく示されるように、内側弁部材４２の上端部に設けられた半球状の突起４２２は、口部ＴＫＫの開口部の中に突入することが可能である。したがって、図１に示す状態から注射器ＴＫの口部ＴＫＫを取付け部ＴＢに取り付けようとする際に、口部ＴＫＫの開口部の中に突起４２２が入るようにあてがい、その状態で下方に押し下げることにより、口部ＴＫＫと突起４２２とが係合してこれらが外れることなく移動弁体４０を容易にスリーブ部５２の中へ押し込むことができる。押し込んだ状態で、注射器ＴＫを回転させてその雌ネジＴＫＭを係合部片５２２に螺合させることにより、図２〜図４に示すように注射器ＴＫが取付け部ＴＢに取り付けられる。
【００５４】
その状態では、注射器ＴＫの口部ＴＫＫの先端部が外側弁部材４１の凹部４１２の内周面４１３に当接してシールが行われるので、分岐流路ＢＲと口部ＴＫＫとが外部に漏れることなく結合される。また、凹溝４２３が突起４２２の部分にも形成されているので、突起４２２によって口部ＴＫＫの開口部が塞がれてしまうことがない。
【００５５】
図１に示すように、注射器ＴＫを取り付けない状態において、移動弁体４０の下端部は弁本体３１の中に若干入り込んでおり、これによって移動弁体４０は軸方向の上方へ付勢された状態となる。この付勢力によって、内側弁部材４２は外側弁部材４１よりも多く上方へ押し上げられる力を受け、内側弁部材４２の外周面４２１が外側弁部材４１の内周面４１１に押しつけられ、それらの間が密着してシールされる。
【００５６】
これと同時に、外側弁部材４１が上方へ押し上げられる力を受けるので、外側弁部材４１の外周面４１４がスリーブ部５２の内周面５２１に押しつけられ、それらの間が密着する。
【００５７】
したがって、注射器ＴＫを取り付けない状態では、スリーブ部５２に対して外側弁部材４１および内側弁部材４２のいずれもがほぼ正確に芯出しされた状態となる。これとは逆に、注射器ＴＫを取り付ける際には、スリーブ部５２、外側弁部材４１、および内側弁部材４２のそれぞれの間に隙間ができるので、これによって注射器ＴＫの係合部片５２２への螺合などの際の偏心や位置ずれなどによる影響を吸収することができる。
【００５８】
なお、図１においては、外側弁部材４１の下端部が弁本体３１の上面に接したように見えるが、実際は外側弁部材４１の下端部が弁本体３１の内部に入り込んむことによって内部流路ＢＮの全てがシールされている。しかし、必要に応じて、外側弁部材４１の下端部が弁本体３１の上面に接する状態または上面から離れた状態としてもよい。
【００５９】
また、外側弁部材４１の外周面４１４とスリーブ部５２の内周面５２１とを円錐面としたが、これらを円筒面とし、且つそれぞれに突起部を設けて軸方向に互いに係合するようにして外側弁部材４１の軸方向外方への抜け止めと位置決めとを行うようにしてもよい。その場合に、外側弁部材４１の外周面とスリーブ部５２の内周面との間に適当な間隙を設けておいてもよい。また、必要に応じてシール部材を設けてもよい。
【００６０】
図７に示すように、キャップ部材５０の係止突起５１１は、キャップ本体５１の内周面に設けられた環状体が２ヵ所において切り欠かれた状態に形成されている。つまり、係止突起５１１は２つ設けられている。分岐管基部３３の外周面に設けられた保持突起３３２およびストッパ３３３も、周方向の互いに１８０度の角度位置に２つずつ設けられており２つの係止突起５１１の端部が２つの保持突起３３２およびストッパ３３３と係合する。また、キャップ本体５１の下端縁には２つの切り欠き部５１２が設けられている。
【００６１】
キャップ部材５０は、分岐管基部３３の外周面を摺動可能であるが、キャップ本体５１の内周面に設けられた係止突起５１１が分岐管基部３３の外周面に設けられた保持突起３３１と係合することによって軸方向の抜け止めが図られている。なお、キャップ部材５０を分岐管基部３３に装着する際には、それらの弾性的変形によって互いに乗り越えて嵌め込まれる。
【００６２】
このキャップ部材５０を回転させ且つ軸方向に移動させることにより、その待機位置Ｐ２と流通位置Ｐ１とを切り換えることができる。
【００６３】
すなわち、図８（Ａ）および図９（Ａ）に示すように、係止突起５１１が保持突起３３１と３３２との間にあるときは、図２に示す状態の待機位置Ｐ２であり、その状態でロックされている。キャップ部材５０を左回転させ、図９（Ｂ）に示すように係止突起５１１を保持突起３３２から離し、その状態で押し込んで図９（Ｃ）に示すように係止突起５１１を保持突起３３２よりも下方に位置させ、この状態で右回転させることによって、図８（Ｂ）および図９（Ｄ）に示すように、係止突起５１１が保持突起３３２の下面に係合し、図３に示す状態の流通位置Ｐ１となり、この状態でロックされる。流通位置Ｐ１から待機位置Ｐ２に切り換えるには上と逆の操作を行えばよい。
【００６４】
なお、外側弁部材４１、内側弁部材４２、キャップ部材５０なども、ポリプロピレンなどの合成樹脂材料により形成される。
【００６５】
次に、混注管１の使用方法について説明する。
【００６６】
まず、混注管１の管本体１１を例えば輸血流路の途中に接続しておく。キャップ部材５０は待機位置Ｐ２としておく。この状態では、分岐流路ＢＲは弁本体３１によって閉塞されており、血液などの外部への流出はない。採血や薬液の注入を行うために、注射器ＴＫを取付け部ＴＢに取り付ける。そうすると、図２に示す状態となるが、この状態においても、内部流路ＢＮは主流路ＳＲに接続されておらず、血液などの外部への流出はない。
【００６７】
そこで、キャップ部材５０を流通位置Ｐ１に切り換えることによって、図３に示す状態となり、内部流路ＢＮが主流路ＳＲに接続されて分岐流路ＢＲに血液が流入する。この状態で、注射器ＴＫによる採血や薬液の注入を行う。１回目の採血などが終わると、注射器ＴＫを取付け部ＴＢに取り付けた状態のままで、キャップ部材５０を待機位置Ｐ２に切り換える。これによって、内部流路ＢＮは主流路ＳＲから再び遮断される。２回目以降の採血などを行うときには、キャップ部材５０を再度流通位置Ｐ１に切り換えて必要な操作を行う。全回の採血などが終われば、待機位置Ｐ２に切り換えた状態で注射器ＴＫを取付け部ＴＢから取り外す。
【００６８】
このように、待機位置Ｐ２と流通位置Ｐ１とを切り換えることによって、注射器ＴＫを取り付けた状態で何回でも採血などを行うことができる。その間において注射器ＴＫを取り外さないので、操作が極めて簡単であるとともに、従来のように部材の表面に付着した血液による衛生上の問題は生じない。また、１個の混注管１によって何回でも採血などを行うことができるので、混注管１の使用個数が大幅に低減し、そのコストを初めとして使用済みの混注管の廃棄のためのコストなどを大幅に低減することができる。
【００６９】
また、注射器ＴＫを取付け部ＴＢから一旦取り外した場合でも、移動弁体４０の端部がキャップ部材５０のスリーブ部５２から突出するので、血液が付着した場合でもその拭き取りが容易であり、十分な拭き取りやアルコールなどによる清掃などを行うことができる。したがって、その場合でも再度の使用が可能であり、コスト的に極めて有利である。
【００７０】
上に述べた実施形態においては、分岐管基部３３を管本体１１に一体に設けたが、これらを別体で形成して適当な嵌め込み構造としてもよい。外側弁部材４１の凹部４１２の内周面４１３を円錐面状に形成してシールが行わせたが、凹部４１２の周壁部を柔らかい材料で形成することによってシール性を高めることができる。また、内周面４１３によるシールに代えて、またはこれとともに、Ｏリングなどの他の適当なシール部材を設けてもよい。
【００７１】
上に述べた実施形態においては、管本体１１と分岐管部１２とからなる混注管１を例にとって説明したが、管本体１１を設けることなく、適当な流体容器または管路の開口部に分岐管部１２を装着するようにし、流体容器または管路に接続する分岐流路を外部に引き出すための弁装置として構成することも可能である。その場合には、例えば、分岐管基部３３の部分の外周面にテーパネジまたは平行ネジなどの雄ネジを形成し、その雄ネジを流体容器または管路の開口部に設けた雌ネジに螺合させることによって結合することが可能である。
【００７２】
上に述べた実施形態においては、取付け部ＴＢにロック式の注射器ＴＫをニードルレスで取り付けることとした。このような注射器ＴＫについては、ＩＳＯ５９４−２：１９９８（Ｅ）に規格が定められている。したがって、取付け部ＴＢの構造として、上に述べた以外に、このような注射器ＴＫを取り付けることが可能な種々の構造を採用することが可能である。また、このような規格の注射器ＴＫ以外に、他の種々の注射器ＴＫ、または注射器ＴＫ以外の種々の器具または配管部材を取付け部ＴＢに取り付け、採血、点滴、薬液の注入、または測定などを行うことが可能である。
【００７３】
上に述べた実施形態の弁本体３１の形状、寸法、材料、硬度、スリット状部３２の形状、寸法などは、上に述べた以外の種々のものを採用することが可能である。
【００７４】
例えば、図１１に示す弁本体３１Ｂのように、胴部３１１Ｂの下部の円錐台状の突出部３１３Ｂの高さを低くした形状でもよい。また、図１２に示す弁本体３１Ｃのように、胴部３１１Ｃの下部に凹所３１４Ｃを設けた形状でもよい。また、各部材の縁部などにおいて適当な面取りやアールを形成してもよい。
【００７５】
混注管１を構成する各部材は、射出成形、その他の型成形、または切削加工などによって製作することが可能である。
【００７６】
その他、管本体１１、分岐管部１２、および混注管１の全体または各部の構造、形状、寸法、個数、材質、組み込み構成などは、本発明の趣旨に沿って適宜変更することができる。
【図面の簡単な説明】
【００７７】
【図１】本発明に係る実施形態の混注管の断面正面図である。
【図２】混注管の待機位置の状態を示す断面正面図である。
【図３】混注管の流通位置の状態を示す断面正面図である。
【図４】図２の一部を拡大して示す断面図である。
【図５】移動弁体を上から見て示す平面図である。
【図６】キャップ部材の上方から見て示す一部断面平面図である。
【図７】キャップ部材の断面正面図である。
【図８】キャップ部材の待機位置と流通位置との状態を示す拡大断面図である。
【図９】キャップ部材の待機位置と流通位置との切り換え状態を示す側面図である。
【図１０】弁本体の形状を示す図である。
【図１１】弁本体の他の例を示す断面図である。
【図１２】弁本体の他の例を示す断面図である。
【符号の説明】
【００７８】
１  混注管
１１  管本体
１２  分岐管部
３１  弁本体
３２  スリット状部
３３  分岐管基部
３３１、３３２  保持突起
３３３  ストッパ
４０  移動弁体
４１  外側弁部材
４１２  凹部
４１３  内周面
４２  内側弁部材
４２２  突起
４２３  凹溝
５０  キャップ部材
５１  キャップ本体
５２  スリーブ部
５２２  係合部片
ＢＫ  弁機構
ＴＢ  取付け部
ＳＲ  主流路
ＢＲ  分岐流路
ＢＮ  内部流路
ＴＫ  注射器
【図１】
2007117210.tif 000003
【図２】
2007117210.tif 000004
【図３】
2007117210.tif 000005
【図４】
2007117210.tif 000006
【図５】
2007117210.tif 000007
【図６】
2007117210.tif 000008
【図７】
2007117210.tif 000009
【図８】
2007117210.tif 000010
【図９】
2007117210.tif 000011
【図１０】
2007117210.tif 000012
【図１１】
2007117210.tif 000013
【図１２】
2007117210.tif 000014